(57)【要約】【課題】停電時であってもリモコンを容易に発見できることを可能にした照明システムを提供する。【解決手段】照明装置２０とそれを制御するリモコン３０とを備え、照明装置２０は、商用交流電源１１からの電力で発光する主光源２４と、停電を検知する停電検知部２１と、リモコン３０と無線で通信する装置側通信部２６と、停電検知部２１で停電が検知された場合に、停電を知らせる信号を装置側通信部２６からリモコン３０に送信する制御を行う装置側制御部２３とを備え、リモコン３０は、光を発するリモコン側補助光源３５と、装置側通信部２６と無線で通信するリモコン側通信部３３と、リモコン側通信部３３が停電を知らせる信号を受信した場合に、リモコン側補助光源３５を点灯させる制御を行うリモコン側制御部３１とを備える。【選択図】図１
2015103285.tif 000002
【特許請求の範囲】
【請求項１】
照明装置と、前記照明装置を制御するリモコンとを備える照明システムであって、
前記照明装置は、
外部から供給される電力で発光する主光源と、
停電を検知する停電検知部と、
前記リモコンと無線で通信する装置側通信部と、
前記停電検知部で停電が検知された場合に、停電を知らせる信号を前記装置側通信部から前記リモコンに送信する制御を行う装置側制御部とを備え、
前記リモコンは、
光を発するリモコン側補助光源と、
前記装置側通信部と無線で通信するリモコン側通信部と、
前記リモコン側通信部が停電を知らせる信号を受信した場合に、前記リモコン側補助光源を点灯させる制御を行うリモコン側制御部とを備える
照明システム。
【請求項２】
前記照明装置はさらに、
前記外部から供給される電力を蓄積する蓄電回路と、
前記蓄電回路からの電力で発光する装置側補助光源を備え、
前記装置側制御部はさらに、前記停電検知部で停電が検知された場合に、前記装置側補助光源を点灯させる制御を行う
請求項１記載の照明システム。
【請求項３】
前記装置側制御部は、前記停電検知部で停電が検知された場合に、前記装置側補助光源を点灯させた後、予め定められた時間が経過した後に、前記装置側通信部から前記停電を知らせる信号を前記リモコンに送信する制御を行う
請求項２記載の照明システム。
【請求項４】
前記リモコンはさらに、音を発する音発生部を備え、
前記リモコン側制御部はさらに、前記リモコン側通信部が停電を知らせる信号を受信した場合に、前記音発生部から音を発する制御を行う
請求項１〜３のいずれか１項に記載の照明システム。
【請求項５】
前記リモコン側制御部はさらに、前記リモコン側通信部が停電を知らせる信号を受信した場合に、前記照明装置が備える前記主光源の点灯を指示する信号を前記リモコン側通信部から前記照明装置に送信することを予め定められた時間間隔で繰り返す制御を行い、
前記装置側制御部はさらに、前記装置側通信部が前記主光源の点灯を指示する信号を受信した場合に、前記主光源を点灯させる制御を行う
請求項１〜４のいずれか１項に記載の照明システム。
【請求項６】
前記照明システムは、複数の前記照明装置を備え、
前記リモコン側制御部はさらに、前記リモコン側通信部が停電を知らせる信号を受信した場合に、前記複数の照明装置のそれぞれに対して、予め定められた時間間隔をおいて、順に、当該照明装置が備える前記装置側補助光源の点灯を指示する信号を、前記リモコン側通信部から前記照明装置に送信する制御を行い、
前記複数の照明装置のそれぞれにおいて、前記装置側制御部はさらに、前記装置側通信部が前記装置側補助光源の点灯を指示する信号を受信した場合に、前記装置側補助光源を点灯させる制御を行う
請求項１記載の照明システム。
【発明の詳細な説明】
【技術分野】
【０００１】
本発明は、照明装置とそれを制御するリモコンとを備える照明システムに関する。
【背景技術】
【０００２】
近年、シーリングライト等の照明装置と、その照明装置を制御するリモコン（Ｗｉｒｅｌｅｓｓ  Ｒｅｍｏｔｅ  Ｃｏｎｔｒｏｌｌｅｒ；無線遠隔制御装置）とで構成される照明システムが普及している。このような照明システムによれば、照明装置に設けられたスイッチを操作することなく、手元のリモコンによって照明装置を点灯／消灯したり明るさを調光したりできるので、例えば、床に寝たまま照明装置を操作でき、便利である。ところが、暗所においてはリモコンを発見するのが容易ではないという問題がある。
【０００３】
そこで、従来、暗所であってもリモコンを容易に発見できるように工夫した照明システムが提案されている（例えば、特許文献１参照）。特許文献１の照明システムによれば、リモコンに補助光源が設けられ、リモコンを操作することで、補助光源を点灯させて手元を照らすことができる。さらに、照明装置を消灯している場合には、リモコンの補助光源を自動的に点灯させる。これにより、消灯された暗い部屋にリモコンが置かれている場合であっても、補助光源の点灯を手掛かりに容易にリモコンを発見することができる。
【先行技術文献】
【特許文献】
【０００４】
【特許文献１】特開２００５−６３７４２号公報
【発明の概要】
【発明が解決しようとする課題】
【０００５】
しかしながら、上記特許文献１の技術では、照明装置に電源が供給されていることが前提となっており、停電時には照明装置もリモコンの補助光源も消灯してしまう状態が発生するという問題がある。つまり、上記特許文献１の技術では、例えば、夜中において部屋の照明装置を点灯させているときに停電が発生した場合には、リモコンにとっては照明装置が消灯したことを検知できないために、リモコンの補助光源は消灯したままである。そのために、リモコンで手元を照らしたいと思っても、停電で真っ暗になった部屋において手探りでリモコンを見つけなければならないという事態が発生する。
【０００６】
そこで、本発明は、上記問題点に鑑みてなされたものであり、停電時であってもリモコンを容易に発見できることを可能にした照明システムを提供することを目的とする。
【課題を解決するための手段】
【０００７】
上記目的を達成するために、本発明に係る照明システムの一形態は、照明装置と、前記照明装置を制御するリモコンとを備える照明システムであって、前記照明装置は、外部から供給される電力で発光する主光源と、停電を検知する停電検知部と、前記リモコンと無線で通信する装置側通信部と、前記停電検知部で停電が検知された場合に、停電を知らせる信号を前記装置側通信部から前記リモコンに送信する制御を行う装置側制御部とを備え、前記リモコンは、光を発するリモコン側補助光源と、前記装置側通信部と無線で通信するリモコン側通信部と、前記リモコン側通信部が停電を知らせる信号を受信した場合に、前記リモコン側補助光源を点灯させる制御を行うリモコン側制御部とを備える。
【０００８】
ここで、前記照明装置はさらに、前記外部から供給される電力を蓄積する蓄電回路と、前記蓄電回路からの電力で発光する装置側補助光源を備え、前記装置側制御部はさらに、前記停電検知部で停電が検知された場合に、前記装置側補助光源を点灯させる制御を行ってもよい。
【０００９】
また、前記装置側制御部は、前記停電検知部で停電が検知された場合に、前記装置側補助光源を点灯させた後、予め定められた時間が経過した後に、前記装置側通信部から前記停電を知らせる信号を前記リモコンに送信する制御を行ってもよい。
【００１０】
また、前記リモコンはさらに、音を発する音発生部を備え、前記リモコン側制御部はさらに、前記リモコン側通信部が停電を知らせる信号を受信した場合に、前記音発生部から音を発する制御を行ってもよい。
【００１１】
また、前記リモコン側制御部はさらに、前記リモコン側通信部が停電を知らせる信号を受信した場合に、前記照明装置が備える前記主光源の点灯を指示する信号を前記リモコン側通信部から前記照明装置に送信することを予め定められた時間間隔で繰り返す制御を行い、前記装置側制御部はさらに、前記装置側通信部が前記主光源の点灯を指示する信号を受信した場合に、前記主光源を点灯させる制御を行ってもよい。
【００１２】
また、前記照明システムは、複数の前記照明装置を備え、前記リモコン側制御部はさらに、前記リモコン側通信部が停電を知らせる信号を受信した場合に、前記複数の照明装置のそれぞれに対して、予め定められた時間間隔をおいて、順に、当該照明装置が備える前記装置側補助光源の点灯を指示する信号を、前記リモコン側通信部から前記照明装置に送信する制御を行い、前記複数の照明装置のそれぞれにおいて、前記装置側制御部はさらに、前記装置側通信部が前記装置側補助光源の点灯を指示する信号を受信した場合に、前記装置側補助光源を点灯させる制御を行ってもよい。
【発明の効果】
【００１３】
本発明によれば、停電時であってもリモコンを容易に発見できる照明システムが実現される。
【００１４】
よって、本発明により、夜中において部屋の照明装置を点灯させているときに停電が発生した場合であっても、手元灯として使用できるリモコンを容易に発見でき、停電を生じさせ得る災害に対する備えとして、本発明の実用的価値は極めて高い。
【図面の簡単な説明】
【００１５】
【図１】本発明の実施の形態における照明システムの構成要素を説明する図
【図２Ａ】図１に示された照明装置の構成を示すブロック図
【図２Ｂ】図２Ａにおける停電検知部による停電検知の原理の一例を示す図
【図３】図１に示されたリモコンの構成を示すブロック図
【図４】同照明装置の特徴的な動作を示すフローチャート
【図５】同リモコンの特徴的な動作を示すフローチャート
【図６】停電時におけるリモコンによる複数の照明装置に対する特徴的な制御を示す通信シーケンス図
【図７】図６に示される制御による結果を説明する図
【発明を実施するための形態】
【００１６】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００１７】
図１は、本実施の形態における照明システム１０の構成要素を説明する図である。この照明システム１０は、照明装置２０と、その照明装置２０を制御するリモコン３０とを備え、停電を検知した場合に、自動的に、リモコン３０が備える補助光源を点灯させる点に特徴を有する。
【００１８】
照明装置２０は、リモコン３０によって点灯／消灯及び明るさの調光が制御される照明装置であり、例えば、部屋に設けられるシーリングライトである。リモコン３０は、照明装置２０を制御するための携帯型の操作装置である。
【００１９】
なお、図１における符号は、後述する図２Ａ及び図３における符号に対応している。その詳細は、図２Ａ及び図３を用いて説明する。
【００２０】
図２Ａは、図１に示された照明装置２０の構成を示すブロック図である。この照明装置２０は、商用交流電源１１に接続されて動作する照明装置であり、停電を検知した場合に停電を知らせる（つまり、停電を検知したことを知らせる）信号をリモコン３０に送信する機能を有する。そのために、この照明装置２０は、停電検知部２１、電源回路２２、装置側制御部２３、主光源２４、装置側補助光源２５、及び、装置側通信部２６を備える。
【００２１】
停電検知部２１は、停電を検知する検出回路であり、商用交流電源１１からの交流電力の供給が絶たれたことを検知する。図２Ｂは、停電検知部２１による停電検知の原理の一例を示す図である。いま、商用交流電源１１からの交流電力が、部屋の壁等に設けられた電源スイッチＳＷを介して、電源回路２２が有するトランスＴｒに供給されているとする。停電検知部２１は、トランスＴｒの一次側に供給される電圧、つまり、商用交流電源１１からの交流電圧を直接監視し、そこに一定の閾値以上の電圧が発生していない場合に停電が発生していると検知する回路であり、比較回路、又は、スイッチ回路等で構成される。なお、この停電検知部２１は、停電が発生しているときには、電力を必要としない信号状態（例えば、グランド電位）を出力するように構成され、停電中であっても電力を必要とすることなく、停電を知らせる信号状態を出力し続ける。また、この停電検知部２１は、「停電中」という状態を知らせる信号を出力するので、停電からの復帰（復電）の検知にも用いられる。
【００２２】
電源回路２２は、この照明装置２０の各構成要素（停電検知部２１、装置側制御部２３、主光源２４、装置側補助光源２５、及び、装置側通信部２６）に電力を供給する回路であり、特に、装置側補助光源２５に電力を供給する蓄電回路２２ａを有する。蓄電回路２２ａは、商用交流電源１１からの交流電力を変換して得られる直流電力（又は、電源回路２２で生成された直流電力）を蓄電しておき、蓄電した直流電力を、停電時に、装置側補助光源２５に供給する回路であり、充電のためのコンデンサ等から構成される。なお、図２Ａでは、電源回路２２からの電力供給の矢線は、主光源２４及び装置側補助光源２５への電力供給を除いて、図示が省略されている。
【００２３】
主光源２４は、この照明装置２０の主要な光源であり、例えば、蛍光灯、白熱灯、及び、ＬＥＤ（Ｌｉｇｈｔ  Ｅｍｉｔｔｉｎｇ  Ｄｉｏｄｅ）のいずれか、又は、それらの組み合わせで構成される。この主光源２４は、装置側制御部２３による制御の下で、商用交流電源１１から供給される電力（直接的には、電源回路２２から供給される交流電力又は直流電力）で発光する光源であり、停電時、あるいは、上記電源スイッチＳＷが切断されたときには、消灯する。
【００２４】
装置側補助光源２５は、主光源２４が発光できない場合に補助的に発光する光源であり、例えば、ＬＥＤ等である。この装置側補助光源２５は、本実施の形態では、装置側制御部２３による制御の下で、蓄電回路２２ａから供給される電力で発光するので、停電時、及び、上記電源スイッチＳＷが切断された時であっても点灯し得る。ただし、本実施の形態では、装置側補助光源２５は、蓄電回路２２ａが有するコンデンサ等に一時的に蓄積された電力によって発光するので、発光を継続した場合には、その輝度が徐々に低下していき、一定時間後（例えば、２〜３分後）に消灯する。
【００２５】
装置側通信部２６は、リモコン３０と無線で通信する通信インターフェースであり、例えば、赤外線によってリモコン３０との間で情報を送受信する。
【００２６】
装置側制御部２３は、この照明装置２０の各構成要素を制御する回路であり、特に、停電検知部２１で停電が検知された場合に、そのことを示す信号を停電検知部２１から受け取り、停電を知らせる信号を装置側通信部２６からリモコン３０に送信する制御を行う。そのために、この装置側制御部２３は、例えば、制御プログラムを格納したメモリ、タイマー、Ａ／Ｄ及びＤ／Ａ変換器等を内蔵するマイクロコンピュータ等で構成される。本実施の形態では、装置側制御部２３は、停電検知部２１で停電が検知された場合に、まず、装置側補助光源２５を点灯させるために蓄電回路２２ａを制御する。そして、装置側制御部２３は、予め定められた時間が経過した後に、装置側通信部２６から停電を知らせる信号をリモコン３０に送信する制御を行う。つまり、装置側制御部２３は、停電検知部２１で停電が検知された場合に、まず装置側補助光源２５を点灯させて部屋全体を明るくした後、装置側通信部２６から停電を知らせる信号をリモコン３０に送信する制御を行う。
【００２７】
なお、装置側制御部２３は、上記特徴的な制御のほかに、一般的な動作として、リモコン３０から装置側通信部２６を介して照明装置２０に対する操作指示を受けた場合には、その操作指示に従って、主光源２４及び装置側補助光源２５を制御することも行う。たとえば、装置側制御部２３は、主光源２４の点灯／消灯、及び、調光についての指示を受けた場合には、その指示に従って電源回路２２を制御することにより、主光源２４を点灯／消灯させたり、調光したりする。また、装置側制御部２３は、装置側補助光源２５の点灯／消灯についての指示を受けた場合には、その指示に従って蓄電回路２２ａを制御することにより、装置側補助光源２５を点灯／消灯させる。さらに、装置側制御部２３は、停電から復帰（復電）が停電検知部２１で検知された場合には、そのことを示す信号を停電検知部２１から受け取った後に、復電したことを知らせる信号を、装置側通信部２６を介してリモコン３０に送信する制御を行う。あるいは、停電を知らせる信号の送信を終了する制御を行う。
【００２８】
なお、停電中においても動作する必要がある回路（装置側通信部２６、装置側制御部２３等）は、蓄電回路２２ａからの電力、又は、照明装置２０に内蔵されている電池（図示せず）からの電力の供給を受けて動作する。
【００２９】
また、照明装置２０は、常夜灯を備えてもよいし、リモコン３０を用いないで直接、照明装置２０の点灯／消灯を操作するためのスイッチを備えてもよい。
【００３０】
また、照明装置２０は、内蔵されたスイッチ（図示せず）等の設定によって、他の照明装置と区別される識別情報であるチャネルが設定されてもよい。その場合には、照明装置２０（装置側制御部２３）は、自装置に設定されたチャネルの指定を伴う信号をリモコン３０から受信した場合にだけ応答し、そうでない場合には応答しない。
【００３１】
図３は、図１に示されたリモコン３０の構成を示すブロック図である。このリモコン３０は、内蔵の電池（図示せず）で動作する携帯型操作装置であり、リモコン側制御部３１、操作ボタン３２、リモコン側通信部３３、音発生部３４、リモコン側補助光源３５、及び、表示部３６を備える。
【００３２】
リモコン側通信部３３は、照明装置２０と無線で通信する通信インターフェースであり、例えば、赤外線によって照明装置２０との間で情報を送受信する。
【００３３】
リモコン側補助光源３５は、手元を照らすため、及び、暗所に置かれたリモコン３０の発見を容易にするための光源であり、例えば、ＬＥＤ等である。このリモコン側補助光源３５は、リモコン側制御部３１による制御の下で、リモコン３０に内蔵されている電池（図示せず）から供給される電力で発光する。本実施の形態では、このリモコン側補助光源３５は、リモコン３０の操作ボタン３２でオフの指示がされるまで、又は、照明装置２０からの停電を知らせる信号の送信が終了する（あるいは、照明装置２０から復電を知らせる信号が届く）まで、発光し続ける。
【００３４】
音発生部３４は、リモコン側制御部３１による制御の下で音を発する回路及びスピーカであり、例えば、シンセサイザー、ブザー等である。
【００３５】
表示部３６は、リモコン３０を操作するユーザとリモコン３０との対話のための各種情報を表示するディスプレイであり、例えば、ＬＣＤ（Ｌｉｑｕｉｄ  Ｃｒｙｓｔａｌ  Ｄｉｓｐｌａｙ）等である。
【００３６】
操作ボタン３２は、照明装置２０及びリモコン３０を操作するためのボタンである。この操作ボタン３２には、照明装置２０（照明装置２０の主光源２４）を点灯／消灯、調光したり、照明装置２０の装置側補助光源２５を点灯／消灯したり、リモコン側補助光源３５を点灯／消灯したりするためのボタン等が含まれる。
【００３７】
リモコン側制御部３１は、このリモコン３０の各構成要素を制御する回路である。特に、リモコン側制御部３１は、リモコン側通信部３３が照明装置２０から送信されてくる停電を知らせる信号を受信した場合に、リモコン側通信部３３からその通知を受けたリモコン側補助光源３５を点灯させる制御を行う。そのために、リモコン側制御部３１は、例えば、制御プログラムを格納したメモリ、タイマー、Ａ／Ｄ及びＤ／Ａ変換器等を内蔵するマイクロコンピュータ等で構成される。このリモコン側制御部３１は、上述した停電時の点灯の他に、特徴的な制御として、リモコン側通信部３３が停電を知らせる信号を受信した場合に、音発生部３４から音を発する制御を行う。また、このリモコン側制御部３１は、リモコン側通信部３３が停電を知らせる信号を受信した場合に、照明装置２０が備える主光源２４の点灯を指示する信号をリモコン側通信部３３から照明装置２０に送信することを、予め定められた時間間隔で繰り返す制御を行う。
【００３８】
さらに、このリモコン側制御部３１は、上述したチャネルを用いて、複数の照明装置を区別しながら制御する機能を有する。つまり、リモコン側制御部３１は、操作ボタン３２によって指定された一つのチャネルを示す識別情報を付随させて（宛先情報として用いることで）、操作指示の信号をリモコン側通信部３３から照明装置２０に送信する制御を行う。これにより、複数の照明装置が設置された環境において、一台のリモコン３０を用いて、リモコン３０で指定したチャネルに設定された照明装置だけに対して操作することができる。また、リモコン３０で指定したチャネルに設定された複数の照明装置に対して一括で操作することができる。また、リモコン側制御部３１は、リモコン側通信部３３が停電を知らせる信号を受信した場合に、次の制御を行う。つまり、リモコン側制御部３１は、複数の照明装置のそれぞれに対して、予め定められた時間間隔をおいて、順に、当該照明装置が備える装置側補助光源２５の点灯を指示する信号を、リモコン側通信部３３から照明装置に送信する制御を行う。これにより、複数の照明装置の装置側補助光源２５を、時間をずらして、順に、点灯させることができる。
【００３９】
次に、以上のように構成された本実施の形態における照明システム１０の動作について説明する。
【００４０】
図４は、本実施の形態における照明装置２０の特徴的な動作を示すフローチャートである。ここでは、停電時における照明装置２０の動作手順が示されている。
【００４１】
照明装置２０の装置側制御部２３は、停電検知部２１で停電が検知された場合に（Ｓ１０でＹｅｓ）、まず、装置側補助光源２５を点灯させるように蓄電回路２２ａを制御する（Ｓ１１）。続いて、装置側制御部２３は、予め定められた時間（例えば、１０秒）が経過したことを内蔵のタイマー等によって確認した後に（Ｓ１２でＹｅｓ）、装置側通信部２６から停電を知らせる信号をリモコン３０に送信する制御を行う（Ｓ１３）。
【００４２】
このような制御により、停電が発生したときには、まず装置側補助光源２５が点灯して部屋全体が明るくなり、その後、照明装置２０からリモコン３０に停電を知らせる信号が送信される。
【００４３】
なお、復電したときには、停電検知部２１で復電が検知されるので、そのことを示す信号を停電検知部２１から受け取った装置側制御部２３は、停電時と逆の制御を行う。つまり、装置側制御部２３は、装置側補助光源２５を消灯し、復電したことを知らせる信号を、装置側通信部２６を介してリモコン３０に送信する（あるいは、停電を知らせる信号の送信を終了する）制御を行う。
【００４４】
図５は、本実施の形態におけるリモコン３０の特徴的な動作を示すフローチャートである。ここでは、図４に示される照明装置２０からの信号送信（Ｓ１３）への応答動作が示されている。
【００４５】
リモコン側通信部３３が照明装置２０から送信されてくる停電を知らせる信号を受信した場合に（Ｓ２０でＹｅｓ）、リモコン側通信部３３からその通知を受けたリモコン側制御部３１は、まず、リモコン側補助光源３５を点灯させる制御を行う（Ｓ２１）。これにより、停電が発生したときに、リモコン側補助光源３５が自動的に点灯するので、夜中において部屋の照明装置を点灯させているときに停電が発生した場合であっても、手元灯として使用できるリモコン３０を容易に発見できる。
【００４６】
続いて、リモコン側制御部３１は、操作ボタン３２による事前設定によって音発生に関する設定がＯＮに設定されているか否かを確認し（Ｓ２２）、ＯＮに設定されている場合には（Ｓ２２でＹｅｓ）、音発生部３４から音を発する制御を行う（Ｓ２３）。これにより、停電時に、リモコン３０から音が出るので、リモコン３０が見えない場所に置かれている場合、あるいは、リモコン側補助光源３５の点灯に気付きにくい状態でリモコン３０が置かれている場合であっても、音によってリモコン３０を容易に発見できる。
【００４７】
さらに続いて、リモコン側制御部３１は、照明装置２０が備える主光源２４の点灯を指示する信号をリモコン側通信部３３から照明装置２０に送信することを、予め定められた時間間隔で繰り返す制御を行う（Ｓ２４）。これにより、復電したときに照明装置２０がリセットされて消灯状態になることが回避される。つまり、復電したときには、照明装置２０は、リモコン３０から繰り返し送信されてくる信号を受信するので、主光源２４が必ず点灯される。
【００４８】
なお、リモコン側制御部３１は、このステップＳ２４の処理に代えて、照明装置２０から復電を知らせる信号を受信した後に、照明装置２０が備える主光源２４の点灯を指示する信号をリモコン側通信部３３から照明装置２０に送信する制御をしてもよい。これにより、リモコン３０から照明装置２０への１回の送信で、復電後に照明装置２０の主光源２４を点灯させることができる。
【００４９】
図６は、停電時におけるリモコン３０による複数の照明装置２０ａ〜２０ｃに対する特徴的な制御を示す通信シーケンス図である。ここでは、一台のリモコン３０によって制御される３台の照明装置２０ａ〜２０ｃが部屋に設置されている場合におけるそれらの装置間での通信のやりとりが示されている。なお、３台の照明装置２０ａ〜２０ｃは、図２Ａに示される照明装置２０と同じ機能を備える照明装置であるが、この例では、各照明装置の識別情報として、異なるチャネルに設定されている。たとえば、照明装置２０ａ〜２０ｃのチャネルは、それぞれ、「１」、「２」、「３」に設定されている。
【００５０】
まず、停電が発生すると、そのことが、３台の照明装置２０ａ〜２０ｃの停電検知部２１で検知され、停電を知らせる信号が照明装置２０ａ〜２０ｃからリモコン３０に送信される（Ｓ３０）。照明装置２０ａ〜２０ｃのうちの少なくとも一台から停電を知らせる信号を受信したリモコン３０のリモコン側制御部３１は、リモコン側補助光源３５を点灯させる制御を行う（Ｓ３１）。
【００５１】
そして、リモコン側制御部３１は、３台の照明装置２０ａ〜２０ｃのそれぞれに対して、予め定められた時間間隔をおいて、順に、装置側補助光源２５の点灯を指示する信号を、リモコン側通信部３３から送信する制御を行う（Ｓ３２〜Ｓ３６）。具体的には、まず、リモコン側制御部３１は、設定可能なチャネルの範囲における最初の値（ここでは、「１」）を付随させて装置側補助光源２５の点灯を指示する信号を送信する制御をする（Ｓ３２）。これにより、その信号を受信したチャネル「１」に設定された照明装置２０ａは、自らの装置側補助光源２５を点灯させる（Ｓ４０）。続いて、リモコン側制御部３１は、予め定められた時間だけ待機した後に（Ｓ３３）、続くチャネルの値（ここでは、「２」）を付随させて装置側補助光源２５の点灯を指示する信号を送信する制御をする（Ｓ３４）。これにより、その信号を受信したチャネル「２」に設定された照明装置２０ｂは、自らの装置側補助光源２５を点灯させる（Ｓ４１）。さらに続いて、リモコン側制御部３１は、予め定められた時間だけ待機した後に（Ｓ３５）、続くチャネルの値（ここでは、設定可能なチャネルの範囲における最後の値「３」）を付随させて装置側補助光源２５の点灯を指示する信号を送信する制御をする（Ｓ３６）。これにより、その信号を受信したチャネル「３」に設定された照明装置２０ｃは、自らの装置側補助光源２５を点灯させる（Ｓ４２）。なお、ステップＳ３３、Ｓ３５における待機時間（予め定められた時間）は、照明装置２０ａ〜２０ｃの装置側補助光源２５が点灯し続ける時間より少しだけ短い時間（例えば、点灯し続ける時間の９０％に相当する時間）に設定されている。
【００５２】
このような制御により、図７に示されるように、複数の照明装置２０ａ〜２０ｃの装置側補助光源２５を、時間をずらして、順に、点灯させることができる。図７は、図６に示される制御による結果を説明する図である。ここでは、時間の経過を横軸とし、照明装置２０ａ〜２０ｃそれぞれの装置側補助光源２５の明るさを縦軸とするグラフが示されている。このグラフから分かるように、停電が発生すると、まずチャネル「１」に設定された照明装置２０ａの装置側補助光源２５が点灯し、その後時間の経過に伴って暗くなっていく。ところが、その照明装置２０ａの装置側補助光源２５が消灯する直前に、チャネル「２」に設定された照明装置２０ｂの装置側補助光源２５が点灯する。その後、その照明装置２０ｂの装置側補助光源２５が時間の経過に伴って暗くなっていく。ところが、その照明装置２０ｂの装置側補助光源２５の消灯する直前に、チャネル「３」に設定された照明装置２０ｃの装置側補助光源２５が点灯する。
【００５３】
このように、停電時には、まず一台の照明装置の装置側補助光源２５が点灯し、徐々に輝度が低下して消灯する直前に他の一台の照明装置の装置側補助光源２５が点灯を開始する。このような複数の装置側補助光源２５による連携した連続点灯が照明装置の台数分、継続される。これにより、部屋に複数の照明装置２０ａ〜２０ｃが設置されている場合には、一台の照明装置だけが設置されている場合に比べ、停電時に、より長い時間、装置側補助光源２５によって部屋が照明される。
【００５４】
以上のように、本実施の形態の照明システム１０は、照明装置２０とそれを制御するリモコン３０とを備える。そして、照明装置２０は、商用交流電源１１からの電力で発光する主光源２４と、停電を検知する停電検知部２１と、リモコン３０と無線で通信する装置側通信部２６と、停電検知部２１で停電が検知された場合に、停電を知らせる信号を装置側通信部２６からリモコン３０に送信する制御を行う装置側制御部２３とを備える。一方、リモコン３０は、光を発するリモコン側補助光源３５と、装置側通信部２６と無線で通信するリモコン側通信部３３と、リモコン側通信部３３が停電を知らせる信号を受信した場合にリモコン側補助光源３５を点灯させる制御を行うリモコン側制御部３１とを備える。これにより、停電が発生したときに、リモコン側補助光源３５が自動的に点灯するので、夜中において部屋の照明装置を点灯させているときに停電が発生した場合であっても、手元灯として使用できるリモコン３０を容易に発見できる。
【００５５】
また、照明装置２０はさらに、商用交流電源１１から供給される電力を蓄積する蓄電回路２２ａと、蓄電回路２２ａからの電力で発光する装置側補助光源２５を備える。そして、装置側制御部２３はさらに、停電検知部２１で停電が検知された場合に、装置側補助光源２５を点灯させる制御を行う。より詳しくは、装置側制御部２３は、停電検知部２１で停電が検知された場合に、装置側補助光源２５を点灯させた後、予め定められた時間が経過した後に、装置側通信部２６から停電を知らせる信号をリモコン３０に送信する制御を行う。これにより、停電が発生したときには、まず、装置側補助光源２５が点灯して部屋全体が明るくなり、その後、照明装置２０からリモコン３０に停電を知らせる信号が送信される。
【００５６】
また、リモコン３０はさらに、音を発する音発生部３４を備える。そして、リモコン側制御部３１はさらに、リモコン側通信部３３が停電を知らせる信号を受信した場合に、音発生部３４から音を発する制御を行う。これにより、停電が発生したときに、リモコン３０から音が出る。よって、リモコン３０が見えない場所に置かれている場合、あるいは、リモコン側補助光源３５の点灯に気付きにくい状態でリモコン３０が置かれている場合であっても、音によってリモコン３０が容易に発見され得る。
【００５７】
また、リモコン側制御部３１はさらに、リモコン側通信部３３が停電を知らせる信号を受信した場合に、照明装置２０が備える主光源２４の点灯を指示する信号をリモコン側通信部３３から照明装置２０に送信することを予め定められた時間間隔で繰り返す制御を行う。そして、装置側制御部２３はさらに、装置側通信部２６が主光源２４の点灯を指示する信号を受信した場合に、主光源２４を点灯させる制御を行う。これにより、復電したときに照明装置２０がリセットされて消灯状態になることが回避される。つまり、復電したときには、照明装置２０は、リモコン３０から繰り返し送信されてくる信号を受信するので、主光源２４が必ず点灯される。
【００５８】
また、照明システム１０は、複数の照明装置２０ａ〜２０ｃを備える構成をとることもできる。その場合には、リモコン側制御部３１はさらに、リモコン側通信部３３が停電を知らせる信号を受信した場合に、複数の照明装置２０ａ〜２０ｃのそれぞれに対して、予め定められた時間間隔をおいて、順に、当該照明装置が備える装置側補助光源２５の点灯を指示する信号を、リモコン側通信部３３から照明装置に送信する制御を行う。そして、複数の照明装置２０ａ〜２０ｃのそれぞれにおいて、装置側制御部２３はさらに、装置側通信部２６が装置側補助光源２５の点灯を指示する信号を受信した場合に、装置側補助光源２５を点灯させる制御を行う。これにより、複数の照明装置２０ａ〜２０ｃの装置側補助光源２５が、時間をずらして、順に、点灯する。よって、部屋に複数の照明装置２０ａ〜２０ｃが設置されている場合には、一台の照明装置だけが設置されている場合に比べ、停電時に、より長い時間、装置側補助光源２５によって部屋が照明される。
【００５９】
以上、本発明に係る照明システムについて、実施の形態に基づいて説明したが、本発明は、これらの実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【００６０】
たとえば、上記実施の形態では、照明装置２０が備える停電検知部２１は、停電の発生だけでなく復電も検知したが、復電の検知は必ずしも必要ではない。停電時に自動点灯したリモコン側補助光源３５が復電後も点灯し続けても大きな問題とはならないからである。また、復電後にリモコン側補助光源３５を消灯するには、ユーザが操作ボタン３２を操作することで行ってもよい。また、リモコン側補助光源３５を点灯した場合に、予め定められた時間（例えば、１０分）だけ自動点灯するようにリモコン側制御部３１が内蔵のタイマー等を用いて制御してもよい。
【００６１】
また、上記実施の形態では、停電検知部２１は、商用交流電源１１からの交流電圧を直接監視したが、これ以外の方式で、停電を検知してもよい。たとえば、停電検知部２１は、トランスＴｒの一次側に交流電圧が供給されているか否かで停電を検知してもよい。リモコン３０で照明装置２０を点灯／消灯する照明システム１０においては、一般に、電源スイッチＳＷを常時オンにしておく運用が行われるので、このような方式であっても停電が検知され得る。
【００６２】
また、上記実施の形態では、装置側補助光源２５は、商用交流電源１１からの電力を蓄電する蓄電回路２２ａからの電力を受けて発光したが、照明装置２０に内蔵される電池からの電力を受けて発光してもよい。このとき、装置側補助光源２５の点灯時間として、装置側制御部２３又はリモコン３０からの指示により、予め定められた時間に限定されていてもよい。
【００６３】
また、本明細書における「予め定められた時間」は、固定の時間であってもよいし、ユーザによって設定され、照明装置２０又はリモコン３０に記憶される可変時間であってもよい。
【００６４】
また、上記実施の形態におけるリモコン３０は、照明装置２０専用の操作装置に限定されるものではなく、例えば、スマートフォン等の携帯情報端末であってもよい。照明装置２０及びリモコン３０との間は、赤外線通信に限定されるものではなく、無線ＬＡＮ等による通信であってもよい。
【００６５】
また、上記実施の形態では、蓄電回路２２ａは、コンデンサで構成されたが、二次電池であってもよい。
【００６６】
また、上記実施の形態では、主光源２４、装置側補助光源２５、リモコン側補助光源３５は、ＬＥＤ等であったが、有機ＥＬ（Ｅｌｅｃｔｒｏ−Ｌｕｍｉｎｅｓｃｅｎｃｅ）素子であってもよい。
【符号の説明】
【００６７】
１０  照明システム
１１  商用交流電源
２０、２０ａ〜２０ｃ  照明装置
２１  停電検知部
２２  電源回路
２２ａ  蓄電回路
２３  装置側制御部
２４  主光源
２５  装置側補助光源
２６  装置側通信部
３０  リモコン
３１  リモコン側制御部
３２  操作ボタン
３３  リモコン側通信部
３４  音発生部
３５  リモコン側補助光源
３６  表示部
【図１】
2015103285.tif 000003
【図２Ａ】
2015103285.tif 000004
【図２Ｂ】
2015103285.tif 000005
【図３】
2015103285.tif 000006
【図４】
2015103285.tif 000007
【図５】
2015103285.tif 000008
【図６】
2015103285.tif 000009
【図７】
2015103285.tif 000010